【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
撮像素子上に像を結像させるための２群２枚構成の撮像レンズであって、
物体側から順に、第１レンズおよび第２レンズを備え、
前記各レンズを構成する４つの面がすべて非球面形状であり、
前記第１レンズよりも物体側に開口絞りが設けられ、
かつ、前記４つの面のうち、少なくとも１つの面が、光軸近傍と周辺部とで異なる向きの凹凸形状を有する
ことを特徴とする撮像レンズ。
【請求項２】
前記第１レンズは、物体側の面の光軸近傍の形状が物体側に凹で、かつ、像側の面の光軸近傍の形状が像側に凹で周辺部の形状が像側に凸であり、
前記第２レンズは、物体側の面の光軸近傍の形状が物体側に凸で周辺部の形状が物体側に凹であり、かつ、像側の面の光軸近傍の形状が像側に凹で周辺部の形状が像側に凸である
ことを特徴とする請求項１記載の撮像レンズ。
【請求項３】
前記第１レンズは、物体側の面の光軸近傍の形状が物体側に凹で、かつ、像側の面の光軸近傍の形状が像側に凹で周辺部の形状が像側に凸であり、
前記第２レンズは、物体側の面の光軸近傍の形状が物体側に凸で周辺部の形状が物体側に凹であり、かつ、像側の面の光軸近傍の形状が像側に凸で、中間部の形状が像側に凹、周辺部の形状が像側に凸である
ことを特徴とする請求項１記載の撮像レンズ。
【請求項４】
前記第１レンズは、物体側の面の光軸近傍の形状が物体側に凸で、かつ、像側の面の光軸近傍の形状が像側に凹で周辺部の形状が像側に凸であり、
前記第２レンズは、物体側の面の光軸近傍の形状が物体側に凸で周辺部の形状が物体側に凹であり、かつ、像側の面の光軸近傍の形状が像側に凸で、中間部の形状が像側に凹、周辺部の形状が像側に凸である
ことを特徴とする請求項１記載の撮像レンズ。
【請求項５】
前記第１レンズは、物体側の面の光軸近傍の形状が物体側に凸で、かつ、像側の面の光軸近傍の形状が像側に凹であり、
前記第２レンズは、物体側の面の光軸近傍の形状が物体側に凸で周辺部の形状が物体側に凹であり、かつ、像側の面の光軸近傍の形状が像側に凹で周辺部の形状が像側に凸である
ことを特徴とする請求項１記載の撮像レンズ。
【請求項６】
前記第１レンズは、物体側の面の光軸近傍の形状が物体側に凸で、かつ、像側の面の光軸近傍の形状が像側に凹で周辺部の形状が像側に凸であり、
前記第２レンズは、物体側の面の光軸近傍の形状が物体側に凸で周辺部の形状が物体側に凹であり、かつ、像側の面の光軸近傍の形状が像側に凹で周辺部の形状が像側に凸である
ことを特徴とする請求項１記載の撮像レンズ。
【請求項７】
前記第１レンズは、物体側の面の光軸近傍の形状が物体側に凸で、かつ、像側の面の光軸近傍の形状が像側に凸であり、
前記第２レンズは、物体側の面の光軸近傍の形状が物体側に凸で周辺部の形状が物体側に凹であり、かつ、像側の面の光軸近傍の形状が像側に凹で周辺部の形状が像側に凸である
ことを特徴とする請求項１記載の撮像レンズ。
【請求項８】
前記第１レンズのアッベ数をν１、前記第２レンズのアッベ数をν２としたとき、
ν１／ν２＞１．５  ……（１）
の条件式（１）を満足している
ことを特徴とする請求項７記載の撮像レンズ。
【請求項９】
前記第１レンズおよび前記第２レンズを構成する４つの面のうち、少なくとも１面が回折光学面となっている
を特徴とする請求項１ないし７のいずれか１項に記載の撮像レンズ。
【手続補正２】
【補正対象書類名】明細書
【補正対象項目名】０００８
【補正方法】変更
【補正の内容】
【０００８】
【課題を解決するための手段】
本発明による撮像レンズは、撮像素子上に像を結像させるための２群２枚構成の撮像レンズであって、物体側から順に、第１レンズおよび第２レンズを備え、各レンズを構成する４つの面がすべて非球面形状であり、第１レンズよりも物体側に開口絞りが設けられ、かつ、４つの面のうち、少なくとも１つの面が、光軸近傍と周辺部とで異なる向きの凹凸形状を有する構成となっている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
ここで、本発明による撮像レンズにおいて、第１レンズを、物体側の面の光軸近傍の形状が物体側に凹で、かつ、像側の面の光軸近傍の形状が像側に凹で周辺部の形状が像側に凸である構成とし、第２レンズを、物体側の面の光軸近傍の形状が物体側に凸で周辺部の形状が物体側に凹であり、かつ、像側の面の光軸近傍の形状が像側に凹で周辺部の形状が像側に凸である構成にしてもよい（請求項２）。
【手続補正５】
【補正対象書類名】明細書
【補正対象項目名】００１２
【補正方法】変更
【補正の内容】
【００１２】
また、本発明による撮像レンズにおいて、第１レンズを、物体側の面の光軸近傍の形状が物体側に凹で、かつ、像側の面の光軸近傍の形状が像側に凹で周辺部の形状が像側に凸である構成とし、第２レンズを、物体側の面の光軸近傍の形状が物体側に凸で周辺部の形状が物体側に凹であり、かつ、像側の面の光軸近傍の形状が像側に凸で、中間部の形状が像側に凹、周辺部の形状が像側に凸である構成にしてもよい（請求項３）。
【手続補正６】
【補正対象書類名】明細書
【補正対象項目名】００１３
【補正方法】変更
【補正の内容】
【００１３】
また、本発明による撮像レンズにおいて、第１レンズを、物体側の面の光軸近傍の形状が物体側に凸で、かつ、像側の面の光軸近傍の形状が像側に凹で周辺部の形状が像側に凸である構成とし、第２レンズを、物体側の面の光軸近傍の形状が物体側に凸で周辺部の形状が物体側に凹であり、かつ、像側の面の光軸近傍の形状が像側に凸で、中間部の形状が像側に凹、周辺部の形状が像側に凸である構成にしてもよい（請求項４）。
【手続補正７】
【補正対象書類名】明細書
【補正対象項目名】００１４
【補正方法】変更
【補正の内容】
【００１４】
また、本発明による撮像レンズにおいて、第１レンズを、物体側の面の光軸近傍の形状が物体側に凸で、かつ、像側の面の光軸近傍の形状が像側に凹である構成とし、第２レンズを、物体側の面の光軸近傍の形状が物体側に凸で周辺部の形状が物体側に凹であり、かつ、像側の面の光軸近傍の形状が像側に凹で周辺部の形状が像側に凸である構成にしてもよい（請求項５）。
【手続補正８】
【補正対象書類名】明細書
【補正対象項目名】００１５
【補正方法】変更
【補正の内容】
【００１５】
また、本発明による撮像レンズにおいて、第１レンズを、物体側の面の光軸近傍の形状が物体側に凸で、かつ、像側の面の光軸近傍の形状が像側に凹で周辺部の形状が像側に凸である構成とし、第２レンズを、物体側の面の光軸近傍の形状が物体側に凸で周辺部の形状が物体側に凹であり、かつ、像側の面の光軸近傍の形状が像側に凹で周辺部の形状が像側に凸である構成にしてもよい（請求項６）。
【手続補正９】
【補正対象書類名】明細書
【補正対象項目名】００１６
【補正方法】変更
【補正の内容】
【００１６】
また、本発明による撮像レンズにおいて、第１レンズを、物体側の面の光軸近傍の形状が物体側に凸で、かつ、像側の面の光軸近傍の形状が像側に凸である構成とし、第２レンズを、物体側の面の光軸近傍の形状が物体側に凸で周辺部の形状が物体側に凹であり、かつ、像側の面の光軸近傍の形状が像側に凹で周辺部の形状が像側に凸である構成にしてもよい（請求項７）。この構成とした場合、さらに、
ν１／ν２＞１．５  ……（１）
の条件式（１）を満足していることが望ましい（ν１，ν２は、第１レンズおよび第２レンズのアッベ数）。この条件を満足することで、倍率の色収差を補正し易くなる。
【手続補正１０】
【補正対象書類名】明細書
【補正対象項目名】００５５
【補正方法】変更
【補正の内容】
【００５５】
【発明の効果】
以上説明したように、請求項１ないし９のいずれか１項に記載の撮像レンズによれば、物体側から順に、第１レンズおよび第２レンズを備え、各レンズを構成する４つの面をすべて非球面形状とし、第１レンズよりも物体側に開口絞りを設け、かつ、４つの面のうち、少なくとも１つの面が、光軸近傍と周辺部とで異なる向きの凹凸形状を有するようにしたので、比較的像寸法の小さい、特に小型の撮像装置への搭載に適した性能を得ることができる。特に、２群２枚構成で、各レンズを構成する４つの面をすべて非球面形状にしたことから、小型化を図りつつ、諸収差を良好に補正し、光学性能の向上を図ることができる。また、開口絞りを最も物体側に設けたことにより、テレセントリック性を確保し易くなる。
【手続補正１１】
【補正対象書類名】明細書
【補正対象項目名】００５６
【補正方法】変更
【補正の内容】
【００５６】
特に、請求項８記載の撮像レンズによれば、請求項７記載の撮像レンズにおいて、アッベ数に関する所定の条件式（１）を満足するようにしたので、さらに、倍率の色収差を小さくすることができる。
【手続補正１２】
【補正対象書類名】明細書
【補正対象項目名】００５７
【補正方法】変更
【補正の内容】
【００５７】
特に、請求項９記載の撮像レンズによれば、各レンズを構成する４つの面のうち、少なくとも１面を回折光学面にしたので、倍率の色収差を良好に補正することができる。その結果、色のにじみが少なくなり、解像力などの結像性能を向上させることができる。